(57)【要約】      （修正有）【課題】ホースが乱れて動き、噴水方向が制御しにくくなる欠点を克服し、且つ、蛍光により、夜間、混乱した災害環境中でも明確に位置を標示でき、急速に使用或いは迅速にホースを消化設備に取り付けられ、消化タイミングを逃さない、消火用ホースの提供。【解決手段】撓性管体１及び該管体内壁のクッション層２を包含し、撓性管体の外表面に軸方向に夜光標示線１４０，１４６が設けられ、クッション層の表面に複数の導流紋路２１が設けられ、並びにこれら導流紋路は該クッション層表面より突出するか凹み、且つこれら導流紋路は該撓性管体の軸方向に平行に設置され、該クッション層の導流紋路により高圧水流が管内で流動する時に軸方向に沿って管路出口へと導流される。【選択図】図１
0003138767.tif 000002
【実用新案登録請求の範囲】
【請求項１】
撓性管体及び該管体内壁に設けられたクッション層を包含する消火用ホースにおいて、該クッション層の表面に複数の導流紋路が設けられたことを特徴とする、消火用ホース。
【請求項２】
請求項１記載の消火用ホースにおいて、これら導流紋路は該クッション層の表面より０．５〜２ｍｍ突出することを特徴とする、消火用ホース。
【請求項３】
請求項１記載の消火用ホースにおいて、これら導流紋路は該クッション層の表面より０．５〜２ｍｍ凹んでいることを特徴とする、消火用ホース。
【請求項４】
請求項１記載の消火用ホースにおいて、これら導流紋路は該撓性管体の軸方向に沿って平行に設置されたことを特徴とする、消火用ホース。
【請求項５】
請求項１記載の消火用ホースにおいて、該撓性管体の外表面に軸方向に沿って夜光標示線が設けられたことを特徴とする、消火用ホース。
【考案の詳細な説明】
【技術分野】
【０００１】
本考案は一種の消火用ホースに係り、特に、高圧水流の輸送に適用され且つ暗いところで明らかに位置を標示できる消火用ホースに関する。
【背景技術】
【０００２】
一般に建築物内には火災報知機、スモークセンサ、火災自動スプリンクラー等の防火設備が設けられ、火災の緊急状況時にこれらの消防設備を利用して火災を鎮火し、安全を守る目的を達成している。しかし、これらの消防設備は通常、建築物の目立たない場所、例えば階段の踊り場、玄関先或いはロビーの角部等に配置され、このため、明るい時には人の注意を引くことができるが、火災が発生して、パニック状態になり、室内も暗く、環境中に煙が立ち込め、高熱が充満する緊急状況では、どこに消防設備が配置されているかが分からず、鎮火できない。そのため、有効に火災を鎮静できるタイミングを失い、猛烈な火勢により家財を失うだけでなく、人々の生命の安全が脅かされる。このため停電した火災場面で、明確に消防設備を識別させられるようにするかが、消防装置の応用の重要な鍵となる。
【０００３】
また、一般に消防用水の多くは高圧高速の水源とされ、このような高圧高速水流が消火用ホースを流れる時、巨大な水流の衝撃力が消火用ホースを撥ね動かし、このような結果、噴水方向の制御が難しくなり、消火効率が悪くなり、更にはホースの乱れた動きにより人が怪我をすることがある。ゆえに、消火用ホースの送水時の乱れた動きを防止できるようにすることが望まれる。
【考案の開示】
【考案が解決しようとする課題】
【０００４】
本考案は一種の消火用ホースを提供することを目的とし、それはホースの管体内に複数の導流紋路を設置して、管体内の高圧水流を導流してその衝撃力を緩和し、消火用ホースの送水時の乱れた動きを防止し、噴水方向の制御が難しくなる欠点を解決する。
【０００５】
本考案はまた一種の消火用ホースを提供することを目的とし、それはホースの表面に夜光標示線が設けられ、夜間や混乱した火災現場でも明らかに消防器材の位置を標示でき、使用者が即刻使用して消火でき、消防効果を高める。
【課題を解決するための手段】
【０００６】
本考案は消火用ホースが撓性管体と該管体内壁に設けられたクッション層を具備する。
【０００７】
該撓性管体の外表面には軸方向に１本或いは複数本の夜光標示線が設けられ、且つこれら夜光標示線が丁度、該撓性管体が圧縮されて扁平とされた時の上方、下方の稜線部分に位置し、最も好ましくは、前述の夜光標示線が蓄光材料の繊維が直接該管体上に一体に編成されて形成される。
【０００８】
これらクッション層は該管体内壁表面に設けられ、且つ該クッション層の表面に複数の導流紋路が設けられ、並びにこれら導流紋路は該クッション層表面より約０．５ｍｍ〜２ｍｍ突出するか凹む。最も好ましくは、これら導流紋路は該撓性管体の軸方向に沿って平行に設置される。
【考案の効果】
【０００９】
前述の設置により、該クッション層上の導流紋路により、高圧水流が管内を流動する時、軸方向に沿って管路出口に導流され、これによりホースが送水する時に乱れ動くことがなく、且つ噴水方向を制御しやすい。また、撓性管体の夜光標示線が蛍光を釈放して、速やかに使用或いは取り付けることができ、消火タイミングを逃さない効果を有する。
【考案を実施するための最良の形態】
【００１０】
本考案の消火用ホースは、撓性管体１とクッション層２が共同で構成する。図１に示されるように、通常、該撓性管体１の二端にはクイック雌コネクタ１２及びクイック雄コネクタ１３が枢接され、該クイック雌コネクタ１２（或いはクイック雄コネクタ１３）はもう一つの同じ構造のクイック雄コネクタ１３（或いはクイック雌コネクタ１２）に枢接可能であり、これにより無制限に消火用ホースの長さを延長できる。
【００１１】
該撓性管体１は平織り或いはあや織りされた麻布或いは合成繊維布等の材料で製造され、高強度、耐磨耗、防火耐高温等の特性を具え、該撓性管体１は径方向に圧縮して扁平な帯状として、筒状に巻いて収納することができる。また図１、２に示されるように、該撓性管体１の外表面には、軸方向に沿って２本の夜光標示線１４ａ、１４ｂが設けられ、該夜光標示線１４ａ、１４ｂはちょうど、該撓性管体１が扁平に圧縮された時の上方と下方の稜線に位置し、これにより筒状に巻回されて収納される時、リールの上下２端面に夜光標示線１４ａ、１４ｂが現出する（図３）。また、前述の夜光標示線は、最も好ましくは、蓄光材料の繊維が直接混織されて管体が形成され、これにより周知の夜光標示線が脱落しやすいという欠点を解決する。前述の蓄光材料は、Ｚｎｓ：Ｃｕ（緑色光発射）、ＺｎＣｄｓ：Ｃｕ（黄色光発射）の硫化物或いは希土類化合物とされ、高輝度で長い発光時間を有する。該夜光標示線は暗闇のなかで長時間明るい蛍光を発射でき、目標物品位置を標示する目的を達成する。これにより該消火用ホースが暗闇、或いは混乱した災害環境中にあっても明確に位置を標示でき、使用される。
【００１２】
図２に示されるように、該クッション層２は該撓性管体１の内壁面に接合されそれを被覆し、且つ該クッション層２の表面に複数の導流紋路２１が設けられ、並びにこれら導流紋路２１は管体の軸方向に沿って平行に設置され、これら導流紋路は該クッション層２の表面より約０．５〜２ｍｍ突出するか凹んでいる。該クッション層２上の導流紋路２１により管体内の高圧水流が順方向に導流されてその衝撃力が緩和され、消火用ホースが送水時に乱れ動いて噴水方向を制御しにくいという欠点が防止される。
【００１３】
本考案は上述の形式に限定されるものではなく、上述の説明を参考にして、更に多くの改良と変更が可能である。例えば、前述の実施例のクッション層上の突出する導流紋路２１を、該クッション層表面より凹んだ導流紋路としても、順方向に管内の高圧水流を導流する効果を達成できる。
【図面の簡単な説明】
【００１４】
【図１】本考案の立体図である。
【図２】本考案の管体断面図である。
【図３】本考案の筒状に巻回された外観立体図である。
【符号の説明】
【００１５】
１  撓性管体            １２  クイック雌コネクタ
１３  クイック雄コネクタ      １４ａ、１４ｂ  夜光標示線
２  クッション層              ２１  導流紋路
【図１】
0003138767.tif 000003
【図２】
0003138767.tif 000004
【図３】
0003138767.tif 000005